(57)【要約】【課題】リブの始端部に対する応力の集中を緩和し、リブの破損をより確実に防止可能なコネクタを提供する。【解決手段】フード部５２を有する雄コネクタ５０と、フード部５２内に嵌合可能な雌ハウジング１１を有する雌コネクタ１０と、を備えたコネクタであって、フード部５２には、フード部５２の内面から突出するとともに、フード部５２の奥壁５４を始端として両コネクタの嵌合方向に沿って延びるリブ５５が形成され、雌ハウジング１１には、両コネクタの嵌合方向に沿って延び、リブ５５を受け入れ可能なリブ受入溝２５が形成され、リブ５５の延設方向における始端部５５Ａは、奥壁５４に向かうにつれて突出高さが大きく設定される一方、リブ受入溝２５のうち、始端部５５Ａと対向する箇所には、始端部５５Ａを干渉なく受け入れる溝深さの逃げ部３５が設けられていることを特徴とする。【選択図】図４
2011029052.tif 000002
【特許請求の範囲】
【請求項１】
フード部を有する一方のコネクタと、前記フード部内に嵌合可能なハウジングを有する他方のコネクタと、を備えたコネクタであって、
前記フード部には、前記フード部の内面から突出するとともに、前記フード部の奥壁を始端として前記両コネクタの嵌合方向に沿って延びるリブが形成され、
前記ハウジングには、前記両コネクタの嵌合方向に沿って延び、前記リブを受け入れ可能なリブ受入溝が形成され、
前記リブの延設方向における始端部は、前記奥壁に向かうにつれて突出高さが大きく設定される一方、
前記リブ受入溝のうち、前記始端部と対向する箇所には、前記始端部を干渉なく受け入れる溝深さの逃げ部が設けられていることを特徴とするコネクタ。
【請求項２】
前記フード部内には、正面視において、直線状に複数のタブが配列されており、
前記リブは、正面視において、隣り合う前記タブの間に配されることを特徴とする請求項１に記載のコネクタ。
【請求項３】
前記他方のコネクタを構成する前記ハウジングは、前壁の一部が前方部材として別部品によって分割された構成であると共に、
前記前方部材には、前記逃げ部を含む前記リブ受入溝の前部が形成されていることを特徴とする請求項１又は請求項２に記載のコネクタ。
【発明の詳細な説明】
【技術分野】
【０００１】
本発明は、コネクタに関する。
【背景技術】
【０００２】
従来、互いに嵌合可能な両コネクタにおいて、一方のコネクタにリブが形成され、他方のコネクタに、このリブを受け入れ可能な受け入れ溝が形成されているものが知られている（特許文献１及び２）。このリブは、両コネクタが誤組付け（上下反転した姿勢での嵌合等）された場合に、他方のコネクタに当接することで、誤組付けを防止する機能を担っている。
【先行技術文献】
【特許文献】
【０００３】
【特許文献１】特開２００２−３２９５５５号公報
【特許文献２】特開２００８−１９８５２８号公報
【発明の概要】
【発明が解決しようとする課題】
【０００４】
ところで、コネクタを嵌合させる際、ハウジングをフード部に対して斜めに挿入してしまうと、フード部はハウジングに押されて開くので、フード奥壁とフード周壁との連結点となるリブの根本に応力が集中する。特に、近年では、コネクタの薄型化を実現するために、フード部を薄肉化しており、応力集中が顕著となっている。そのため、リブの根本を破損させるおそれがあり、対策の必要があった。本発明は上記のような事情に基づいて完成されたものであって、リブの根本が破損することを防止できるコネクタを提供することを目的とする。
【課題を解決するための手段】
【０００５】
本発明は、フード部を有する一方のコネクタと、前記フード部内に嵌合可能なハウジングを有する他方のコネクタと、を備えたコネクタであって、前記フード部には、前記フード部の内面から突出するとともに、前記フード部の奥壁を始端として前記両コネクタの嵌合方向に沿って延びるリブが形成され、前記ハウジングには、前記両コネクタの嵌合方向に沿って延び、前記リブを受け入れ可能なリブ受入溝が形成され、前記リブの延設方向における始端部は、前記奥壁に向かうにつれて突出高さが大きく設定される一方、前記リブ受入溝のうち、前記始端部と対向する箇所には、前記始端部を干渉なく受け入れる溝深さの逃げ部が設けられていることに特徴を有する。
【０００６】
本発明によれば、リブの延設方向における始端部（リブの根本）は、奥壁に向かうにつれて突出高さが大きく設定されている。このため、例えば、両コネクタの嵌合時に、フード部がハウジングによって内部から押圧され、外側に開く方向に力を受けた場合において、リブの始端部に対する応力の集中を緩和できる。
【０００７】
本発明の実施態様として、以下の構成とすることが好ましい。
前記フード部内には、正面視において、直線状に複数のタブが配列されており、前記リブは、正面視において、隣り合う前記タブの間に配されることを特徴とする。隣り合うタブの間にリブを配する構成とすれば、タブの配列方向と交差する方向にリブとタブとを配列する構成と比較して、タブの配列方向と交差する方向におけるフード部の長さを小さくすることが可能となる。なお、ここでいう正面視とは、一方のコネクタの嵌合方向前側からフード部を視た状態のことである。
【０００８】
前記他方のコネクタを構成する前記ハウジングは、前壁の一部が前方部材として別部品によって分割された構成であると共に、前記前方部材には、前記逃げ部を含む前記リブ受入溝の前部が形成されていることを特徴とする。このような構成とすれば、ハウジング自体には、逃げ部を形成する必要がない。このため、仮に逃げ部を金型にて成型する場合は、ハウジングに逃げ部を形成する構成と比較して、ハウジング用の金型形状を簡易なものとできる。
【発明の効果】
【０００９】
本発明によれば、リブの始端部に対する応力の集中を緩和でき、リブの破損をより確実に防止できる。
【図面の簡単な説明】
【００１０】
【図１】両コネクタが分離した状態を示す断面図
【図２】両コネクタの嵌合状態における側面図
【図３】両コネクタの嵌合状態における側断面図（図８のＡ−Ａ線断面図）
【図４】両コネクタの嵌合状態における側断面図（図８のＧ−Ｇ線断面図）
【図５】両コネクタの嵌合状態における平面図
【図６】両コネクタの嵌合状態における底面図
【図７】両コネクタの嵌合状態を雄コネクタの背面側から見た図
【図８】両コネクタの嵌合状態を雌コネクタの背面側から見た図
【図９】雄コネクタの平面図
【図１０】雄コネクタの正面図
【図１１】図１において雌コネクタの嵌合面側にフロントマスクを取り付ける前の状態を示す断面図
【図１２】雌コネクタの側面図
【図１３】雌コネクタの正面図
【図１４】図１３のＣ−Ｃ線断面図
【図１５】図１２のＢ−Ｂ線断面図
【図１６】図１３のＤ−Ｄ線断面図
【図１７】図１３のＥ−Ｅ線断面図
【図１８】図１６においてリテーナが仮係止位置にある状態を示す断面図
【図１９】フロントマスクの側面図
【図２０】フロントマスクの平面図
【図２１】フロントマスクの正面図
【図２２】図２１のＦ−Ｆ線断面図
【図２３】フロントマスクの底面図
【発明を実施するための形態】
【００１１】
＜実施形態＞
本発明の実施形態を図１ないし図２３の図面を参照して説明する。本実施形態のコネクタは、基板用コネクタであって、基板７０に実装される雄コネクタ５０（一方のコネクタ）と、この雄コネクタ５０と嵌合可能な雌コネクタ１０（他方のコネクタ）とを備えている。なお、以下の説明においては、各コネクタ１０、５０の各嵌合面側をそれぞれ前側とし、各嵌合面側とは反対側を、それぞれ後側とする。
【００１２】
（１）雄コネクタ５０の構成
まず、雄コネクタ５０の構成について説明を行う。図１及び図２に示すように、雄コネクタ５０は合成樹脂製の雄ハウジング５１を有している。雄ハウジング５１は、前方に開口した筒状をなすフード部５２を備えている。フード部５２は、幅方向に横長の扁平形状をなしており、雌コネクタ１０の雌ハウジング１１がフード部５２の内部に嵌合可能とされている。また、フード部５２の幅方向両側には、図５及び図６に示すように、基板７０に固定される一対の基板固定部５３が幅方向外側に突き出して形成されている。
【００１３】
フード部５２の奥壁５４には、図１に示すように、複数の雄端子６０が取り付けられている。図１０に示すように雄端子６０の前端側は、フード部５２の内部において前方に突出するタブ６１とされる。図１０で示す正面視において、各段のタブ６１はそれぞれ直線状に配列されている。タブ６１は、図１０の上下方向において、２段で配されており、本実施形態では上段側に１０個のタブ６１が配置され、下段側に１４個のタブ６１が配置されている。一方、雄端子６０の後端側は、図１及び図７に示すように、奥壁５４を貫通した後、略直角に下方に折り曲げられており、基板７０に設けられたスルーホール７０Ａに挿入され、基板７０と電気的に接続されるようになっている（図９も参照）。
【００１４】
図１０に示すように、フード部５２の内周面には、複数のリブ５５が形成されている。リブ５５は、フード部５２の上壁５２Ａ及び下壁５２Ｂにそれぞれ２箇所ずつ設けられ、上壁５２Ａ又は下壁５２Ｂの一部を内側へ突出させることで形成されている。リブ５５は後述する雌コネクタ１０のリブ受入溝２５（ハウジング溝部１８及び前方溝部３６）と嵌合するもので、図１に示すように、奥壁５４を始端として、前後方向（コネクタの嵌合方向）に沿って、フード部５２の前端まで延びている。また、図１０に示すように、上壁５２Ａに形成されたリブ５５と、下壁５２Ｂに形成されたリブ５５とは、図１０の左右方向において、異なる箇所に配されている。
【００１５】
本実施形態において、隣接するタブ６１同士の間隔は、一定の間隔で配されているが、正面視（図１０）に示すように、リブ５５の形成箇所においては、隣り合うタブ６１同士の間隔が大きく設定されており、リブ５５は、タブ６１同士の間に配されている。このため、タブ６１とリブ５５とを図１０の上下方向（タブ６１の配列方向と交差する方向）に並べて配列する構成と比較して、フード部５２の上下寸法が小さくなる構成となっている。
【００１６】
図１に示すように、前後方向（リブの延設方向）におけるリブ５５の始端部５５Ａは、奥壁５４に向かうにつれて、リブ５５の内側（図１に示す下側のリブ５５においては上側）への突出高さが大きく設定されている。言い換えると、図１の側面視において、始端部５５Ａは奥壁５４に向かうにつれて、上昇傾斜する形状をなしている。また、リブ５５において始端部５５Ａ以外の箇所の突出高さは、始端部５５Ａの突出高さより、小さく設定されており、全長に渡って一定の高さで設定されている。
【００１７】
また、図４に示すようにフード部５２の内周面における上面中央部には、ロック受部５６が下方に突出して形成されている。ロック受部５６は、後述するロックアーム１６のロック突部１６Ａと係止可能となっている。また、ロック受部５６の下面は前方に向けて上昇傾斜している。
【００１８】
（２）雌コネクタ１０の構成
次に、雌コネクタ１０の構成について説明を行う。図１１に示すように、雌コネクタ１０は、合成樹脂製の雌ハウジング１１（ハウジング）と、雌ハウジング１１の前側に装着されることで、雌ハウジング１１の前壁の一部を構成するフロントマスク３０（前方部材）と、を備えている。雌ハウジング１１は、図１３に示すように、幅方向に横長の扁平形状で、かつ、略方形のブロック状をなしている。雌ハウジング１１の上壁において、図８の左右方向における中央部には、ロックアーム１６が配されている。
【００１９】
ロックアーム１６は、図１６に示すように、雌ハウジング１１の前壁１１Ｄの上端から上方に立ち上がる基端部１６Ｃから後方に延びる片持ち状に形成されている。ロックアーム１６の上面において、後方寄りの箇所には、ロック突部１６Ａが設けられている。ロック突部１６Ａの上面は、前方（図１６の左側）に向けて下降傾斜している。ロック突部１６Ａの、さらに後方には、平面視（図５参照）において、矩形状をなすロック解除部１６Ｂが設けられている。このロック突部１６Ａが、雄コネクタ５０のロック受部５６と係止することで、両コネクタ１０、５０同士が前後方向に規制され、正規嵌合状態に保持される。また、ロックアーム１６は、基端部１６Ｃを支点として、図１６の下方に弾性変形可能となっている。これにより、ロック解除部１６Ｂを上方から押圧することで、ロック突部１６Ａとロック受部５６との係止を解除可能な構成となっている。
【００２０】
図１６に示すように、雌ハウジング１１の内部を前後方向に貫通してキャビティ１２が形成されている。キャビティ１２には、後方から雌端子２０が挿入可能となっている。キャビティ１２は、雄コネクタ５０における雄端子６０のタブ６１に対応して、上下２段に配列しており、各雌端子２０の前方には、各タブ６１がそれぞれ挿通可能となっている。雌端子２０は、図１４に示すように、キャビティ１２の内壁下面に形成されたランス１３によって後方に抜け止めされた状態で、キャビティ１２内に保持されている。また、図８に示すように雌ハウジング１１においてロックアーム１６が設けられている中央部分では、上段側のキャビティ１２が形成されておらず、下段側のキャビティ１２のみが配置されている。これにより、ロックアーム１６を雌ハウジング１１の内側に、より近づけて配することができ、雌コネクタ１０の図８における上下の寸法を小さくする（すなわち、低背化）ことが可能となっている。
【００２１】
図１１に示すように、雌ハウジング１１の下壁における前後方向の中央部を下方に開口することで、リテーナ装着孔１４が形成されている。リテーナ装着孔１４は、リテーナ４０が下方から装着可能とされ、雌ハウジング１１の内部で各キャビティ１２と連通している。リテーナ４０は、雌端子２０を挿通可能な端子挿通孔４１を有しており、雌端子２０を挿通可能とする仮係止位置（図１８におけるリテーナ４０の位置）と雌端子２０に係止してその抜け止めを行う本係止位置（図１４及び図１６におけるリテーナ４０の位置）との間を移動可能とされている。
【００２２】
雌端子２０は、金属薄板を打ち抜き加工および折り曲げ加工することによって形成されている。この雌端子２０は、図１７に示すように、雄端子６０のタブ６１と導通可能に接続される角筒部２１と、角筒部２１の後方に形成された電線接続部２２とを一体に備えてなる。角筒部２１の後端は、リテーナ４０が本係止位置においては、その端子挿通孔４１の下面を構成する部分に後方から係止され、雌端子２０が抜け止めされる構成となっている。また、電線接続部２２には、電線Ｗの芯線（電線の一端側）が圧着接続されている。電線Ｗの他端側は、キャビティ１２の後方から引き出されている。
【００２３】
図１３に示すように、雌ハウジング１１の外面における上下両面には、雄コネクタ５０のリブ５５に対応して、複数のハウジング溝部１８が形成されている。これらハウジング溝部１８は、前後方向に延び、雄ハウジング５１のリブ５５を前方から受け入れ可能となっている。図５に示すように、上側のハウジング溝部１８は、前方（図５における左側）と上方の双方に開口する溝状をなしている。また、図６に示すように、下側のハウジング溝部１８は、前方と下方の双方に開口する溝状をなしている。また、図４に示すように、前後方向におけるハウジング溝部１８の長さは、両コネクタ１０、５０とが正規嵌合している状態において、ハウジング溝部１８の後端面１８Ｂが、リブ５５の前端面５５Ｂより、わずかに後方（図４における右側）に位置する長さで設定されている。
【００２４】
雌ハウジング１１の前壁１１Ｄ及び下壁の一部を開口することで、図１１に示すように、フロントマスク３０を装着可能な装着凹部１７が形成されている。フロントマスク３０は、雌ハウジング１１の前面１１Ａに沿って下方から（図１１の矢線方向に向けて）装着凹部１７に装着可能となっている。
【００２５】
フロントマスク３０は、合成樹脂製とされ、図２１に示すように、幅方向に長い横長の略方形をなす本体部３１を備えている。フロントマスク３０を装着凹部１７に装着した状態では、図１２に示すように、雌ハウジング１１の前壁１１Ｄの前端面１１Ｅとフロントマスク３０の前面３０Ａとが、ほぼ面一をなしている。すなわち、雌ハウジング１１は、前壁の一部がフロントマスク３０として別部品によって分割された構成である。このように、雌ハウジング１１の前壁の一部を別部材（フロントマスク３０）とし、雌ハウジング１１の前壁１１Ｄの一部が開口された形状とすることで、雌ハウジング１１（特にランスなどの内部形状）を金型にて成型することが容易となる。
【００２６】
本体部３１において雌端子２０と対応する位置には、端子進入孔３２が貫通して形成されている。この端子進入孔３２には、図３に示すように、両コネクタ１０、５０の嵌合時に雄端子６０のタブ６１が貫通可能となっている。これにより、端子挿入孔３２に貫通した雄端子６０のタブ６１は、雌端子２０の角筒部２１に対して導通可能に接続される。
【００２７】
図２０及び図２１に示すように、本体部３１の幅方向両側には、一対の保持突起３３が設けられている。一方、雌ハウジング１１の幅方向両側には、図１２に示すように、雌ハウジング１１の側壁のうち、保持突起３３に対応する箇所を貫通することで、保持突起３３が係止可能な保持孔１１Ｂが設けられている。保持孔１１Ｂは、雌ハウジング１１の嵌合面側に開口する形態で切り欠かれており、かつ、装着凹部１７に連通して設けられている。このため、図１２に示すように、フロントマスク３０を装着凹部１７に下方から装着すると、保持突起３３が装着凹部１７の内部側から保持孔１１Ｂに進入し、保持孔１１Ｂの下面と係止する。これにより、フロントマスク３０を上下方向において保持する。
【００２８】
図２１に示すように、本体部３１においてロックアーム１６と対応する箇所は切り欠かれており、この切欠部分の上面にも、保持突起３４が設けられている。保持突起３４は、図１９及び図２２に示すように、本体部３１の後面から突出している。保持突起３４は、図１６に示すように、ロックアーム１６の基端部１６Ｃを成形するための型抜き孔Ｓ２に入り込むようになっている。この型抜き孔Ｓ２は、ロックアーム１６の撓みを許容するための空間でもある。保持突起３４は型抜き孔Ｓ２の前端寄りに位置し、この位置はロックアーム１６の撓み動作を阻害しない位置とされている。この保持突起３４は、型抜き孔Ｓ２の下面前端Ｓ２Ａに対して上下方向に係止可能とされている。すなわちフロントマスク３０は、左右一対の保持突起３３と中央の保持突起３４とによって装着凹部１７に保持され、下方への抜け落ちが規制されている。
【００２９】
図１０及び図２１に示すように、本体部３１において、ハウジング溝部１８と対応する位置には、前方溝部３６が形成されている。なお、以下の説明では、上側のハウジング溝部１８に対応する前方溝部３６を上側前方溝部３６Ａと称し、下側のハウジング溝部１８に対応する前方溝部３６を下側前方溝部３６Ｂと称することとする。前方溝部３６と、ハウジング溝部１８とは、ほぼ同じ深さで設定され、前後方向に沿って連通している。これにより、前方溝部３６とハウジング溝部１８とは、前方からリブ５５を受け入れ可能なリブ受入溝２５を構成している。
【００３０】
なお、図１７に示すようにリテーナ４０には、下側のハウジング溝部１８に対応する箇所を上側に凹ませることで、リテーナ溝部４２が形成されている。リテーナ溝部４２の深さはハウジング溝部１８の深さとほぼ同じで設定されている。つまり、下側のリブ受入溝２５は、前後方向に沿って連通された前方溝部３６、リテーナ溝部４２、ハウジング溝部１８によって構成されている。なお、より具体的には、リテーナ溝部４２は前後方向において、ハウジング溝部１８を、その中央付近で分断する形で配されている。
【００３１】
上側前方溝部３６Ａには、図２１に示すように、突部３７Ａが上方に突出して設けられている。一方、下側前方溝部３６Ｂには、架設部３７Ｂが設けられている。この架設部３７Ｂは、図１５に示すように、下側前方溝部３６Ｂの左右両側に位置する両壁部間に架設されている。突部３７Ａは、図１に示すように、雌ハウジング１１の内部の形成された係止孔１９Ａに下方から嵌合する構成となっている。また、図１７に示すように、下側のハウジング溝部１８の上壁における前端付近を凹ませることで、係止凹部１９Ｂが形成されている。この係止凹部１９Ｂに対して、架設部３７Ｂが下方から嵌合可能となっている。上記構成によって、突部３７Ａを係止孔１９Ａに、架設部３７Ｂを係止凹部１９Ｂにそれぞれ嵌合させることで、フロントマスク３０は雌ハウジング１１に対して、前後方向に規制される。なお、突部３７Ａ及び架設部３７Ｂは、リブ受入溝２５にリブ５５を進入させる際に、この進入を妨げない位置に配されている。
【００３２】
また、図４に示すように、フロントマスク３０における前方溝部３６（リブ挿入溝の前部）のうち、リブ５５の始端部５５Ａと対向する箇所には、逃げ部３５が形成されている（図２１及び図２３も参照）。逃げ部３５の深さ（フロントマスク３０の底面から上方への長さ）は、前方溝部３６の深さよりも大きく設定されており、逃げ部３５は、始端部５５Ａを干渉なく受け入れることが可能となっている。これにより、雌ハウジング１１の前面が雄ハウジング５１におけるフード部５２の奥壁５４に当接するまで、両コネクタ同士を嵌合させることが可能となっている。
【００３３】
（３）作用及び効果
続いて、本実施形態におけるコネクタ（雌コネクタ１０及び雄コネクタ５０）の作用及び効果を説明する。初めに、雌コネクタ１０の組み立てについて説明を行う。まず、図１１に示すように、フロントマスク３０を雌ハウジング１１の装着凹部１７に対して下方から組み付ける。これにより、両保持突起３３は、図１２に示すように、装着凹部１７の内部から保持孔１１Ｂに嵌り込む、すると、両保持突起３３と保持孔１１Ｂとが上下方向に係止する。これと同時に、保持突起３４は、図１６に示すように、型抜き孔Ｓ２に嵌り込む。すると、保持突起３４と型抜き孔Ｓ２の下面前端とが係止することで、フロントマスク３０が装着凹部１７に保持される。これと同時に、突部３７Ａは、係止孔１９Ａに嵌合し（図１）、架設部３７Ｂは、係止凹部１９Ｂに下方から嵌り込む（図１７）。これにより、雌ハウジング１１に対するフロントマスク３０の前後方向の移動が規制される。以上の手順によって、フロントマスク３０の組付けが完了する。
【００３４】
次に、リテーナ４０をリテーナ装着孔１４に対して仮係止位置に組み付けた状態とし、各キャビティ１２に各雌端子２０を挿入し、これらの雌端子２０をランス１３によって抜け止めする。その後、リテーナ４０を本係止位置に押し込むことで、各雌端子２０を抜け止めする（ランス１３とリテーナ４０とによる二重係止）。これにより、雌コネクタ１０の組立が完了する。
【００３５】
次に、図１に示すように、基板７０に実装された雄コネクタ５０に対して、雌コネクタ１０を嵌合させる。具体的には、図１の矢線に示すように、雄コネクタ５０の前面と雌コネクタ１０の前面とが対向する向きで、両者を嵌合させる。このとき、フード部５２の各リブ５５と、雌ハウジング１１側の各リブ受入溝２５とをそれぞれ対向させるようにする。この状態で、雄コネクタ５０のフード部５２の内部に雌コネクタ１０の雌ハウジング１１を挿入させる。すると、各リブ５５が、各リブ受入溝２５（フロントマスク３０の各前方溝部３６）に進入する。
【００３６】
さらに、フード部５２に雌ハウジング１１を挿入させていくと、各リブ５５が各ハウジング溝部１８に進入する。また、雌ハウジング１１のロックアーム１６におけるロック突部１６Ａが、ロック受部５６に前方（図１６の左側）から押圧される。これにより、ロックアーム１６は、その基端部１６Ｃを支点として、図１６における下側へ弾性変形する。さらに、雌ハウジング１１が挿入され、ロック突部１６Ａがロック受部５６より後方（図４における左側）に達すると、ロックアーム１６は弾性復帰をする。これにより、ロック突部１６Ａとロック受部５６との係止がされる。そして、これとほぼ同時に、雌ハウジング１１の前端が、フード部５２の奥壁５４に当接する。これにより、雄コネクタ５０と雌コネクタ１０との正規嵌合が完了する。
【００３７】
上記嵌合動作の前において、仮に、雄コネクタ５０に対して、雌コネクタ１０が正しい向きで配されていない場合（例えば、雌コネクタ１０の向きが上下逆の場合など）には、各リブ５５と各リブ受入溝２５との位置が対応しない。このため、両コネクタ１０、５０を嵌合させようとしても、各リブ５５は、各リブ受入溝２５に挿入されず、雌ハウジング１１の各壁部に当接する。これにより、各リブ５５及び各リブ受入溝２５は、両コネクタの誤挿入（上下反転した姿勢での挿入等）を防止する機能を担っている。
【００３８】
上記嵌合動作の際に、仮に、正規嵌合方向（図１における左右方向）に対して、雌ハウジング１１が傾いた状態でフード部５２に挿入されると、フード部５２の内壁が雌ハウジング１１に押圧され、フード部５２が外側（フード部が開く方向）に力を受ける。本実施形態においては、フード部５２にリブ５５が形成されているため、フード部５２の強度が確保できる。さらに、リブ５５の始端部５５Ａは、奥壁５４に向かうにつれて突出高さが大きくなるように設定されている。このため、フード部５２が開く方向に力を受けた場合であっても、リブ５５の始端部５５Ａに対する応力の集中を緩和でき、リブ５５の破損を確実に防止できる。なお、本実施形態の構成は、コネクタの低背化のために、フード部５２の壁部を薄肉化したコネクタに適用すると特に好適である。
【００３９】
また、フード部５２内には、正面視（図１０に示す）において、直線状に複数のタブ６１が配列されており、リブ５５は、正面視において、隣り合うタブ６１の間に配されることを特徴とする。隣り合うタブ６１の間にリブ５５を配する構成とすれば、タブ６１の配列方向と交差する方向（図１０における上下方向）にリブ５５とタブ６１とを配列する構成と比較して、タブ６１の配列方向と交差する方向におけるフード部の長さを小さくすることが可能となる。
【００４０】
また、雌ハウジング１１は、前壁の一部が別部材であるフロントマスク３０によって分割された構成であると共に、フロントマスク３０には、逃げ部３５を含むリブ受入溝２５の前部（前方溝部３６）が形成されている。フロントマスク３０に逃げ部３５を形成する構成とすれば、雌ハウジング１１に逃げ部３５を形成する必要がない。このため、例えば、逃げ部３５を金型にて成型する場合は、雌ハウジング１１に逃げ部３５を形成する構成と比較して、雌ハウジング用の金型形状が簡易な形状となる。
【００４１】
＜他の実施形態＞
本発明は上記記述及び図面によって説明した実施形態に限定されるものではなく、例えば次のような実施形態も本発明の技術的範囲に含まれる。
（１）上記実施形態では雄コネクタ５０を基板用コネクタとしているものの、本発明によると、雄コネクタ５０を電線Ｗの端末に接続されたコネクタとしてもよい。
【００４２】
（２）上記実施形態では、リブ５５は、フード部５２の前端に達するまで延設された構成としたが、リブ５５の延設長さは、上記実施形態より短く設定されていてもよい。
【００４３】
（３）上記実施形態では、リブ５５及び、これを受入可能なリブ受入溝２５を各４箇所ずつ形成したが、これに限定されない。リブ５５及びリブ受入溝２５の形成個数は、適宜変更可能である。
【００４４】
（４）上記実施形態では、リブは、正面視において、隣り合うタブ６１同士の間に配したが、これに限定されない。リブ５５及びリブ受入溝２５の形成箇所は、適宜変更可能である。
【００４５】
（５）上記実施形態では、フロントマスク３０を雌ハウジング１１の前面１１Ａに沿って下方から組み付ける構成であるが、例えば、フロントマスク３０を雌ハウジング１１の前方から組み付ける構成としてもよい。
【００４６】
（６）上記実施形態では、雌コネクタ１０が、雌ハウジング１１と、フロントマスク３０とを備えた構成を例示したが、フロントマスク３０を備えていない構成、すなわち、雌ハウジング１１の前壁が開口されていない構成であってもよい。この構成の場合、逃げ部３５は雌ハウジング１１の前壁に形成することが可能である。また、フロントマスク３０を備えていない場合は、前方溝部３６が存在しない。このため、リブ受入溝２５は、ハウジング溝部１８のみ、又はハウジング溝部１８及びリテーナ溝部４２とから構成される。
【００４７】
（７）上記実施形態では、前方部材としてフロントマスク３０を例示しているものの、本発明によると、前方部材をフロントカバーやフロントリテーナとしてもよい。
【符号の説明】
【００４８】
１０…雌コネクタ（他方のコネクタ）
１１…雌ハウジング（ハウジング）
１１Ｄ…前壁
１８…ハウジング溝部（リブ受入溝）
２５…リブ受入溝
３０…フロントマスク（前方部材）
３５…逃げ部
３６…前方溝部（リブ受入溝の前部）
４２…リテーナ溝部（リブ受入溝）
５０…雄コネクタ（一方のコネクタ）
５２…フード部
５４…奥壁
５５…リブ
５５Ａ…始端部
６１…タブ
【図１】
2011029052.tif 000003
【図２】
2011029052.tif 000004
【図３】
2011029052.tif 000005
【図４】
2011029052.tif 000006
【図５】
2011029052.tif 000007
【図６】
2011029052.tif 000008
【図７】
2011029052.tif 000009
【図８】
2011029052.tif 000010
【図９】
2011029052.tif 000011
【図１０】
2011029052.tif 000012
【図１１】
2011029052.tif 000013
【図１２】
2011029052.tif 000014
【図１３】
2011029052.tif 000015
【図１４】
2011029052.tif 000016
【図１５】
2011029052.tif 000017
【図１６】
2011029052.tif 000018
【図１７】
2011029052.tif 000019
【図１８】
2011029052.tif 000020
【図１９】
2011029052.tif 000021
【図２０】
2011029052.tif 000022
【図２１】
2011029052.tif 000023
【図２２】
2011029052.tif 000024
【図２３】
2011029052.tif 000025